(57)【要約】【課題】  回収作業を容易に行うことができるコンテナ用蓋を提供する。【解決手段】  ネスティング及びスタッキングすることができるコンテナ１の開口部を蓋本体１０で塞ぐと共に該蓋本体１０の周縁の縁部でずれ止めし、上側に重ねられるコンテナ１の底部を該蓋本体１０のずれ止め突起で水平方向にずれないように保持する構造のコンテナ用蓋９において、前記蓋本体１０が適宜箇所に形成したヒンジ部１３により複数に折曲自在になるようにした。【選択図】    図１
2005170416.tif 000002
【特許請求の範囲】
【請求項１】
ネスティング及びスタッキングすることができるコンテナの開口部を蓋本体で塞ぐと共に該蓋本体の周縁の縁部でずれ止めし、上側に重ねられるコンテナの底部を該蓋本体のずれ止め突起で水平方向にずれないように保持する構造のコンテナ用蓋において、
前記蓋本体が適宜箇所に形成したヒンジ部により複数に折曲自在になっていることを特徴とするコンテナ用蓋。
【請求項２】
ネスティング及びスタッキングすることができるコンテナの開口部を蓋本体で塞ぐと共に該蓋本体の周縁の縁部でずれ止めし、上側に重ねられるコンテナの底部を該蓋本体のずれ止め突起で水平方向にずれないように保持する構造のコンテナ用蓋において、
前記蓋本体が複数に分割されて形成されていることを特徴とするコンテナ用蓋。
【請求項３】
ネスティング及びスタッキングすることができるコンテナの開口部を蓋本体で塞ぐと共に該蓋本体の周縁の縁部でずれ止めし、上側に重ねられるコンテナの底部を該蓋本体のずれ止め突起で水平方向にずれないように保持する構造のコンテナ用蓋において、
前記蓋本体が複数に分割され、その分割部がヒンジ部材で折曲自在に連結されていることを特徴とするコンテナ用蓋。
【発明の詳細な説明】
【技術分野】
【０００１】
本発明は、下段のコンテナに対して上段のコンテナを入子式に嵌め（以下、ネスティングと言う。）たり、下段のコンテナ上に上段のコンテナを積み上げ（以下、スタッキングと言う。）たりできるようになされた各コンテナの上端開口部を塞ぐコンテナ用蓋に関するものである。
【背景技術】
【０００２】
従来より、下段のコンテナに対して上段のコンテナをネスティングしたり、下段のコンテナ上に上段のコンテナをスタッキングしたりできるようになされたコンテナとして、図６に示す構造のものが知られている。このコンテナ１は、対向する長側壁２と対向する短側壁３と底壁４とで、上方に開口し、下方に向かって間隔が狭まった矩形状を呈し、合成樹脂で形成されている。前記対向する長側壁２には、外面に突設された第１支脚部５ａ及び第２支脚部５ｂと、内面に凹設された第１ポケット部６ａ及び第２ポケット部６ｂがそれぞれ形成されている。第１支脚部５ａと第２支脚部５ｂとは、コンテナ１の一方の長側壁２の外面側に所定間隔を隔てて１箇所ずつ、反対側の長側壁２の外面側にも同じものが配置して突設されている。このうち、第１支脚部５ａは幅広の１条ものとして形成され、第２支脚部５ｂは幅狭の２条ものとして形成されている。前記第１支脚部５ａ及び第２支脚部５ｂは、長側壁２の高さ方向の下部の外面に形成されている。
【０００３】
また、前記第１ポケット部６ａは第１支脚部５ａを差し込める幅で形成され、第２ポケット部６ｂは第２支脚部５ｂの個々の部分を差し込める幅でそれぞれ形成されている。そして、前記第１ポケット部６ａ及び第２ポケット部６ｂは、長側壁２の高さ方向の上部内面に形成されている。また、コンテナ１の外面の高さ方向の中間、即ち、前記コンテナ１の高さ方向の下部に形成されている第１支脚部５ａ及び第２支脚部５ｂと前記コンテナ１の高さ方向の上部に形成されている第１ポケット部６ａ及び第２ポケット部６ｂの境界位置にフランジ７が突設され、また、コンテナ１の上端開口部にフランジ８が突設されている（例えば、特許文献１参照。）。
【０００４】
このように構成されたコンテナ１は、図６に示す向きで上下に重ねると、下段のコンテナ１の上部に形成されている一方側の第１ポケット部６ａに、上段のコンテナ１の下部に形成されている第２支脚部５ｂが対向し、下段のコンテナ１の上部に形成されている他方側の第２ポケット部６ｂに、上段のコンテナ１の下部に形成されている第１支脚部５ａが対向する結果、下段のコンテナ１の第１ポケット部６ａに、上段のコンテナ１の第２支脚部５ｂが嵌らず、また下段のコンテナ１の第２ポケット部６ｂに、上段のコンテナ１の第１支脚部５ａが嵌らず、上段のコンテナ１の下部に形成されている第１支脚部５ａ及び第２支脚部５ｂの下端が上段のコンテナ１の上端開口部に突設されているフランジ８に係止し、下段のコンテナ１上に上段のコンテナ１をスタッキングすることができる（図示せず）。
【０００５】
また、図６に示す向きの下段のコンテナ１の上に、コンテナ１の向きを１８０度回転して重ねると、下段のコンテナ１の第１ポケット部６ａに、上段のコンテナ１の第１支脚部５ａが対向し、下段のコンテナ１の第２ポケット部６ｂに、上段のコンテナ１の第２支脚部５ｂが対向して嵌まり合い、上段のコンテナ１の下部の約１／２の部分を下段のコンテナ１にネスティングすることができる（図示せず）。
【０００６】
このようなコンテナ１には、必要に応じて開口部を覆うコンテナ用蓋９が用意されており、この蓋として、従来、図７に示すような蓋が知られている。このコンテナ用蓋９は、合成樹脂製であって、コンテナ１の開口部を塞ぐ蓋本体１０と、この蓋本体１０の周縁に下向きに突設されてコンテナ１のフランジ部８を含む上縁部の外周に嵌まり合う縁部１１と、蓋本体１０の上に重ねられたコンテナ１の底部が水平方向にずれ動かないように４辺で位置決めするずれ止め突起１２とで構成されている。
【特許文献１】特開平１０−１１９９６８号公報
【発明の開示】
【発明が解決しようとする課題】
【０００７】
上記のように構成されたコンテナ用蓋９で開口部を覆われたコンテナ１の内容物が取り出されて空になったときの、前記コンテナ１の回収にあっては、前記のように下段のコンテナに対して上段のコンテナをネスティングして、全体の容積を小さくして回収しているが、このとき、前記コンテナ用蓋９は別途纏めて回収しており、このため、コンテナ１の回収スペースは小さくなるものの、コンテナ用蓋９の回収スペースが必要となり、また、コンテナ１とコンテナ用蓋９とが別個に扱われるため、回収作業が面倒となり、また回収の際に、コンテナ用蓋９が紛失し易いなどといった問題点があった。
【０００８】
本発明の目的は、回収作業を容易に行うことができるコンテナ用蓋を提供することにある。
【課題を解決するための手段】
【０００９】
上記の目的を達成する本発明の構成を説明すると、次の通りである。  
請求項１に記載の発明は、ネスティング及びスタッキングすることができるコンテナの開口部を蓋本体で塞ぐと共に該蓋本体の周縁の縁部でずれ止めし、上側に重ねられるコンテナの底部を該蓋本体のずれ止め突起で水平方向にずれないように保持する構造のコンテナ用蓋において、前記蓋本体が適宜箇所に形成したヒンジ部により複数に折曲自在になっていることを特徴とする。
【００１０】
請求項２に記載の発明は、ネスティング及びスタッキングすることができるコンテナの開口部を蓋本体で塞ぐと共に該蓋本体の周縁の縁部でずれ止めし、上側に重ねられるコンテナの底部を該蓋本体のずれ止め突起で水平方向にずれないように保持する構造のコンテナ用蓋において、前記蓋本体が複数に分割されて形成されていることを特徴とする。
【００１１】
請求項３に記載の発明は、ネスティング及びスタッキングすることができるコンテナの開口部を蓋本体で塞ぐと共に該蓋本体の周縁の縁部でずれ止めし、上側に重ねられるコンテナの底部を該蓋本体のずれ止め突起で水平方向にずれないように保持する構造のコンテナ用蓋において、前記蓋本体が複数に分割され、その分割部がヒンジ部材で折曲自在に連結されていることを特徴とする。
【発明の効果】
【００１２】
請求項１に記載のコンテナ用蓋では、蓋本体が適宜箇所に形成したヒンジ部により複数に折曲自在になっているので、ヒンジ部の箇所で折り曲げることにより、全体の大きさを小さくすることができ、上下にネスティングした下段のコンテナ内の下部空間に収納できる。これにより、コンテナ用蓋の回収スペースの必要が無くなり、また、コンテナ用蓋は各コンテナ内に収納して回収するので、回収作業が容易となり、また、回収の際にコンテナ用蓋を紛失するといった事態も生じることなく、各コンテナに対応させて回収することができる。
【００１３】
請求項２に記載のコンテナ用蓋では、蓋本体が複数に分割されて形成されているので、複数に分割されている蓋本体の各分割パーツを重ねることにより上下にネスティングした下段のコンテナ内の下部空間に収納できる。これにより、コンテナ用蓋の回収スペースの必要が無くなり、また、コンテナ用蓋は各コンテナ内に収納して回収するので、回収作業が容易となり、また、回収の際にコンテナ用蓋を紛失するといった事態も生じることなく、各コンテナに対応させて回収することができる。、
請求項３に記載のコンテナ用蓋では、蓋本体が複数に分割され、その分割部がヒンジ部材で折曲自在に連結されているので、蓋本体の分割パーツをヒンジ部材による連結箇所で折り畳むことにより、全体の大きさを小さくすることができ、上下にネスティングした下段のコンテナ内の下部空間に収納できる。これにより、コンテナ用蓋の回収スペースの必要が無くなり、また、コンテナ用蓋は各コンテナ内に収納して回収するので、回収作業が容易となり、また、回収の際にコンテナ用蓋を紛失するといった事態も生じることなく、各コンテナに対応させて回収することができる。
【発明を実施するための最良の形態】
【００１４】
図１は本発明に係るコンテナ用蓋を実施するための最良の形態における第１例の斜視図である。なお、前述した図７と対応する部分には、同一符号を付けて示している。
【００１５】
本例のコンテナ用蓋９は合成樹脂製であり、蓋本体１０が適宜箇所に薄肉に形成したヒンジ部１３により複数に折曲自在になっている。本例では、蓋本体１０の長手方向の中央にヒンジ部１３が形成されて、２つ折りできるようになっているが、これに限られるものではない。しかし、ヒンジ部１３から折り曲げた蓋本体１０の大きさが、少なくとも、上下にネスティングした下段のコンテナ１内の下部空間Ｓに収納できる大きさであることを要する。その他の構成は、図７と同様に形成されている。
【００１６】
このように構成されたコンテナ用蓋９は、コンテナ１内に荷物を入れて搬送する際には、図２に示すように、該コンテナ用蓋９をコンテナ１の上部に被せ、その上に、同様にコンテナ用蓋９を被せた次のコンテナ１を載せてスタッキングし、順次コンテナ用蓋９を被せたコンテナ１を必要段数にスタッキングする（図２は２段となっている）。前記コンテナ１の開口部に被せたコンテナ用蓋９は、蓋本体１０の周縁に下向きに突設された縁部１１がコンテナ１のフランジ部８を含む上縁部の外周に嵌まり、そして、上段に載せたコンテナ１の底部の４辺は、下段のコンテナ１に被せた蓋本体１０のずれ止め突起１２に係止して水平方向にずれ動かないように位置決めされる。
【００１７】
前記コンテナ用蓋９を被せたコンテナ１は、内部の物を取り出す際には、図２に示すようにコンテナ用蓋９の一部をヒンジ部１３から折り曲げて持ち上げることにより、コンテナ１の一部だけを開けて内容物の取り出しを行うことができる。
【００１８】
コンテナ１が空になった場合には、コンテナ用蓋９は、ヒンジ部１３の箇所で折り曲げることにより、全体の大きさを小さくすることにより、上下にネスティングした下段のコンテナ１内の下部空間Ｓに収納できる（図３）。これにより、コンテナ用蓋９の回収スペースの必要が無くなり、また、コンテナ用蓋９は各コンテナ１内に収納して回収するので、回収作業が容易となり、また、回収の際にコンテナ用蓋９を紛失するといった事態も生じることなく、各コンテナ１に対応させて回収することができるものとなる。
【００１９】
図４は本発明に係るコンテナ用蓋を実施するための最良の形態における第２例の斜視図である。なお、前述した図１と対応する部分には、同一符号を付けて示している。
【００２０】
本例のコンテナ用蓋９は合成樹脂製であり、蓋本体１０が複数に分割されて形成されている。本例では蓋本体１０の長手方向の中央で２分割されているが、これに限られるものではない。しかし、分割された蓋本体１０の分割パーツ１０ａの大きさが、少なくとも、上下にネスティングした下段のコンテナ１内の下部空間Ｓに収納できる大きさであることを要する。その他の構成は、図７と同様に形成されている。
【００２１】
このように構成されたコンテナ用蓋９は、第１例と同様にしてコンテナ１の開口部に被せられ、コンテナ１はコンテナ用蓋９が被せられた状態でスタッキングされる。そして、回収時には、複数に分割されている蓋本体１０の各分割パーツ１０ａを重ねることにより上下にネスティングした下段のコンテナ１内の下部空間Ｓに収納できる。これにより、コンテナ用蓋９の回収スペースの必要が無くなり、また、コンテナ用蓋９は各コンテナ１内に収納して回収するので、回収作業が容易となり、また、回収の際にコンテナ用蓋９を紛失するといった事態も生じることなく、各コンテナ１に対応させて回収することができる。
【００２２】
図５は本発明に係るコンテナ用蓋を実施するための最良の形態における第３例の斜視図である。なお、前述した図１及び図４と対応する部分には、同一符号を付けて示している。
【００２３】
本例のコンテナ用蓋９は合成樹脂製であり、蓋本体１０が複数に分割され、その分割部１４がヒンジ部材１５で折曲自在に連結されている。本例では蓋本体１０の長手方向の中央で２分割されているが、これに限られるものではない。しかし、分割された蓋本体１０の分割パーツ１０ａの大きさが、少なくとも、上下にネスティングした下段のコンテナ１内の下部空間Ｓに収納できる大きさであることを要する。また、前記分割された蓋本体１０の分割パーツ１０ａの分割部１４を連結するヒンジ部材１５にあっては、蓋本体１０の分割パーツ１０ａを折り畳むことができるものであれば特に限定されるものではなく、例えば、蝶番、接着テープなどが使用できる。その他の構成は、図７と同様に形成されている。
【００２４】
このように構成されたコンテナ用蓋９は、第１例と同様にしてコンテナ１の開口部に被せられ、コンテナ１はコンテナ用蓋９が被せられた状態でスタッキングされる。そして、回収時には、蓋本体１０の分割パーツ１０ａの分割部１４をヒンジ部材１５による連結箇所で折り畳むことにより、全体の大きさを小さくすることができ、上下にネスティングした下段のコンテナ１内の下部空間Ｓに収納できる。これにより、コンテナ用蓋９の回収スペースの必要が無くなり、また、コンテナ用蓋９は各コンテナ１内に収納して回収するので、回収作業が容易となり、また、回収の際にコンテナ用蓋９を紛失するといった事態も生じることなく、各コンテナ１に対応させて回収することができる。
【図面の簡単な説明】
【００２５】
【図１】本発明に係るコンテナ用蓋を実施するための最良の形態における第１例の斜視図である。
【図２】第１例のコンテナ用蓋をコンテナに被せてスタッキングした状態を示す側面図である。
【図３】第１例のコンテナ用蓋をネスティングした下段のコンテナ内の下部空間に収納した状態を示す一部切り欠き側面図である。
【図４】本発明に係るコンテナ用蓋を実施するための最良の形態における第２例の斜視図である。
【図５】本発明に係るコンテナ用蓋を実施するための最良の形態における第３例の斜視図である。
【図６】ネスティング及びスタッキングすることができるコンテナの斜視図である。
【図７】従来のコンテナ用蓋の斜視図である。
【符号の説明】
【００２６】
１  コンテナ
２  長側壁
３  短側壁
４  底壁
５ａ  第１支脚部
５ｂ  第２支脚部
６ａ  第１ポケット部
６ｂ  第２ポケット部
７，８  フランジ
９  コンテナ用蓋
１０  蓋本体
１０ａ  蓋本体の分割パーツ
１１  縁部
１２  ずれ止め突起
１３  ヒンジ部
１４  蓋本体の分割部
１５  ヒンジ部材
Ｓ  下部空間
【図１】
2005170416.tif 000003
【図２】
2005170416.tif 000004
【図３】
2005170416.tif 000005
【図４】
2005170416.tif 000006
【図５】
2005170416.tif 000007
【図６】
2005170416.tif 000008
【図７】
2005170416.tif 000009